(57)【要約】【課題】本発明は装飾用棒状体、およびその製造方法に関し、例えばネックレス、ブレスレッド、髪飾り等の装身具、ハンドバッグの把手、ベルト等の身回品、キャミソールや女性用下着のストラップとして使用され、宝石、人造宝石、ビーズ等の粒状装飾体よりなる所望複数列の装飾帯状体を捻回してホットメルト接着剤よりなる接着層にて接着、固定し、棒状の捻回状態に保形し、デザイン的に変化をもたせ、装飾性を高めるものである。【解決手段】宝石、人造宝石２Ａ、ビーズ、貴金属ボール、及び金属ボールから選ばれる多数の粒状装飾体２と、該粒状装飾体を複数列に配列して連結する連結手段３と、該連結手段の裏面に接着されるホットメルト接着剤よりなる接着層４を有する接着部材５と、からなる装飾帯状体１で構成され、装飾帯状体が、外周側に粒状装飾体を露呈するように捲回された状態で接着部材にて接着、固定される。【選択図】図１
2009016751.tif 000002
【特許請求の範囲】
【請求項１】
宝石、人造宝石、ビーズ、貴金属ボール、及び金属ボールから選ばれる多数の粒状装飾体と、該粒状装飾体を複数列に配列して相互に連結する連結手段と、該連結手段の裏面に接着されるホットメルト接着剤よりなる接着層を有する接着部材と、からなる装飾帯状体で構成される装飾用棒状体であって、
前記装飾帯状体が、外周側に粒状装飾体を露呈するように捲回された状態で前記接着部材によって接着、固定されていることを特徴とする装飾用棒状体。
【請求項２】
宝石、人造宝石、ビーズ、貴金属ボール、及び金属ボールから選ばれる多数の粒状装飾体と、該粒状装飾体を複数列に配列して相互に連結する連結手段と、両面にホットメルト接着剤よりなる接着層を有し、該連結手段の裏面に設けられる接着部材と、該接着部材が捲回される補強芯材と、からなる装飾帯状体で構成される装飾用棒状体であって、
前記装飾帯状体が、外周側に粒状装飾体を露呈するように前記接着部材を介して前記補強芯材に捲回された状態で前記接着層によって前記補強芯材に接着、固定されていることを特徴とする装飾用棒状体。
【請求項３】
前記連結手段が、前記粒状装飾体の取付個所に適合する内面形状をなす取付部の一側に平面略十字状または平面Ｙ字状にループ腕部を設けた取付金具と、前記ループ腕部内に挿通されることにより前記取付金具に取付けられた粒状装飾体を平面的に１まとめに束ねる連結環とにより前記粒状装飾体を平面所望複数列に連結することを特徴とする請求項１または２に記載の装飾用棒状体。
【請求項４】
前記装飾帯状体が、線状の接着部材を中心に前記接着層を介して１まとめに捻回されて接着、固定されることを特徴とする請求項１または３に記載の装飾用棒状体。
【請求項５】
前記装飾帯状体が、前記補強芯材を中心に螺旋状に捲回された前記接着部材を介するか、又は該接着部材の外周にさらにホットメルト接着テープを螺旋状に捲回することにより１まとめに捻回されて接着、固定されることを特徴とする請求項２または３に記載の装飾用棒状体。
【請求項６】
宝石、人造宝石、ビーズ、貴金属ボール、及び金属ボールから選ばれる粒状装飾体を連結手段により複数列に配列して相互に連結した装飾帯状体を形成する工程と、
前記粒状装飾体が外周側に露呈するようにホットメルト接着剤の接着層を有する線状の接着部材に螺旋状に捲回される工程と、
前記装飾帯状体、および前記接着部材と、加熱手段との何れか一方を他方に対して長さ方向に相対移動させてホットメルト接着剤を加熱、融解した後、これを冷却して前記装飾帯状体を棒状に保形する工程と、
を順次有することを特徴とする装飾用棒状体の製造方法。
【請求項７】
宝石、人造宝石、ビーズ、貴金属ボール、及び金属ボールから選ばれる粒状装飾体を連結手段により複数列に配列して相互に連結した装飾帯状体を形成する工程と、
紐状の補強芯材の外周にホットメルト接着剤よりなる接着層を両面に有する接着部材を螺旋状に捲回するか、または、前記接着部材の外周にさらにホットメルト接着テープを螺旋状に捲回される工程と、
前記粒状装飾体が外周側に露呈されるように前記接着部材の外周、または、前記ホットメルト接着テープの外周に装飾帯状体を螺旋状に捲回する工程と、
そして、前記装飾帯状体、および前記接着部材、或いは、前記装飾帯状体、および前記接着部材、前記ホットメルト接着テープと、加熱手段との何れか一方を他方に対して長さ方向に相対移動させてホットメルト接着剤を加熱、融解した後、これを冷却して前記装飾帯条体を棒状に保形する工程と、
を順次有することを特徴とする装飾用棒状体の製造方法。
【請求項８】
宝石、人造宝石、ビーズ、貴金属ボール、及び金属ボールから選ばれる粒状装飾体を連結手段により複数列に配列して相互に連結した装飾帯状体を形成する工程と、
紐状の補強芯材の外周にホットメルト接着剤よりなる接着層を両面に有する接着部材を螺旋状に捲回するか、または、前記接着部材の外周にさらにホットメルト接着テープを螺旋状に捲回される工程と、
前記粒状装飾体が外周側に露呈されるように前記接着部材の外周、または、前記ホットメルト接着テープの外周に装飾帯状体を螺旋状に捲回する工程と、
そして、前記装飾帯状体、および前記接着部材、或いは、前記装飾帯状体、および前記接着部材、そして、前記ホットメルト接着テープと、加熱手段との何れか一方を他方に対して長さ方向に相対移動させてホットメルト接着剤を加熱、融解する工程と、
プレス手段による押付けを前記装飾帯状体に加えることにより前記補強芯材に対する接着部材の接着位置および接着圧力と、接着部材に対する前記装飾帯状体の接着位置および接着圧力とを調整し、加熱、融解された前記ホットメルト接着剤を冷却して前記装飾帯状体を棒状に保形するする工程と、
を順次有することを特徴とする装飾用棒状体の製造方法。
【請求項９】
前記加熱手段が、ドライヤー、またはヒーターであることを特徴とする請求項請求項６−８の何れかに記載の装飾用棒状体の製造方法。
【発明の詳細な説明】
【技術分野】
【０００１】
本発明は装飾用棒状体およびその製造方法に関し、例えばネックレス、ブレスレッド、髪飾り等の装身具、ハンドバッグの把手、ベルト等の身回品、さらにはキャミソールや女性用下着のストラップに最適に使用され、宝石、人造宝石、ビーズ等の粒状装飾体よりなる所望複数列の装飾帯状体を捲回してホットメルト接着剤よりなる接着層を介して接着、固定することにより捲回状態に棒状に保形し、デザイン的に変化をもたせて装飾性を高めるものである。
【背景技術】
【０００２】
従来、例えば首飾りとして人造真珠、硝子玉よりなる装飾体を連結するのに、通し糸にビニールを浸透させて補強した被覆糸を用い、この被覆糸を装飾体に挿通した数本の連珠を撚合わすことによりビニールの被覆糸を強撚させて復元性による引締力を発揮させるようにして連珠を撚縄状の形態に保持し、装飾性を発揮するようにした連珠首飾があった（例えば特許文献１参照。）。【０００３】
また、他の従来例として装飾体としての貴金属製のボールチェーンよりなる貴金属製ネットの帯体を紐状または数珠状の内容物の外周に外周長さ方向に捲回する。そして、該帯体の帯体縁の貴金属製ボールチェーン同士を溶接することにより貴金属製ネットの筒体を形成して内容物をくるんでデザイン的に変化をもたせて装飾性を高めた装身具があった（例えば特許文献２参照。）。
【特許文献１】実開昭２９−１０９８５号公報
【特許文献２】特開２００２−３６０３２０号公報
【発明の開示】
【発明が解決しようとする課題】
【０００４】
しかしながら上記特許文献１に記載の考案は、例えば人造真珠、硝子玉よりなる装飾体に、ビニールを通し糸に浸透させた被覆糸を挿通して数本の連珠を撚合わすことにより被覆糸を強撚させてビニールの復元性による引締力により連珠を撚縄状の形態に保持させようとするものである。従って、撚縄状に捻回した数本の連珠相互の固定が不充分であため、ビニールの復元性による引締力に抗して反対方向の何らかの外力が首飾りに加わると、複数の連珠は撚縄状の形態を維持できずにばらばらに分離してしまい、多重連構造としての統一性のある装飾性が低下して損なわれる。しかも、前記被覆糸に前述のようにビニールの復元性とは反対方向に強い外力が一端加わると、再びビニールの復元性は元通りには復元するのが困難になるので、ビニールの被覆糸は再び復元性による引締力を充分に発揮しなくなるため、複数の連珠は元通りには撚縄状の形態を維持しなくなり、連珠はデザイン的に不自然なだらしのない格好になる。【０００５】
また、上記特許文献２に記載の発明は、装飾体として貴金属製のボールチェーンよりなる貴金属製ネットの帯体を紐状または数珠状の内容物の外周に外周長さ方向に捲回し、その帯体縁の貴金属製ボールチェーン同士を溶接することにより内容物をくるむ貴金属製ネットの筒体を形成するものなので、帯体縁の貴金属製ボールチェーン同士を溶接するのに、多くの時間と手間がかかる。しかも、ボールチェーン同士を溶接するのには手作業による緻密な作業であることが多く、熟練した技術が必要になるので、製作は容易には行えず、生産効率が低かった。【０００６】
しかも、帯体縁の貴金属製ボールチェーン同士を上記のように一度溶接してしまうと、ボールチェーン相互の取付位置、取付方向が拘束されるため、装身具自体は装着時にも柔軟性に欠けるものであった。【０００７】
また、上記特許文献２に記載の発明は、紐状または数珠状の内容物の外周に貴金属製ボールチェーンよりなる貴金属製ネットの帯体が外周長さ方向に捲回されるものであり、中心には例えばアメジスト、水晶、トルマリン、オニキス等の宝石の原石を糸で数珠繋ぎにしたり、金合金、プラチナ合金、白金、銀等の貴金属の塊を数珠繋ぎにした紐状の内容物を必要にするものなので、ネックレスやブレスレッドの装身具の出来上がりの太さはかなり、太くなって重量は増大し、高価なものであった。【０００８】
しかも、上記特許文献２に記載の発明は、装飾体としての貴金属製のボールチェーンよりなる貴金属製ネットの帯体における帯体縁の貴金属製ボールチェーン同士を溶接することにより内容物をくるむものなので、装飾体が貴金属ボール、金属ボールにより形成されて溶接を行う装身具の製作を行うことは可能であるが、溶接が行えないそれ以外の材料よりなる装飾体、例えば宝石、人造宝石、ビーズ等を用いた装飾体により筒体を形成することを意図するものではなかった。【０００９】
本発明は上記従来の発明の問題点を解決し、捲回して１まとめにされる装飾体よりなる複数列の装飾帯状体に何らの強い外力が働いた場合に、装飾帯状体が分離することなく、捲回状態を維持して構造堅牢に保形性を発揮し、装着時の柔軟性に冨み、以て粒状装飾体が統一性のある多重連構造の豪華な装飾性を確実に発揮し、また、短時間に手間がかからずに製作および組付が容易であり、生産効率が高く、しかも、粒状装飾体が貴金属や金属以外の宝石、人造宝石、ビーズ等の非金属材料により形成する場合にも製作および組付が行え、適用範囲が広く、また、製品の出来上がり太さは、比較的細いものから太いものまで製作が可能であり、重量は軽量になり、さらには製作コストが安価になる装飾用棒状体、およびその製造方法を提供することを目的とする。
【課題を解決するための手段】
【００１０】
本発明の請求項１に記載の発明は、宝石、人造宝石、ビーズ、貴金属ボール、及び金属ボールから選ばれる多数の粒状装飾体と、該粒状装飾体を複数列に配列して相互に連結する連結手段と、該連結手段の裏面に接着されるホットメルト接着剤よりなる接着層を有する接着部材と、からなる装飾帯状体で構成される装飾用棒状体であって、
前記装飾帯状体が、外周側に粒状装飾体を露呈するように捲回された状態で前記接着部材によって接着、固定されていることを特徴とする。【００１１】
また、本発明の請求項２に記載の発明は、宝石、人造宝石、ビーズ、貴金属ボール、及び金属ボールから選ばれる多数の粒状装飾体と、該粒状装飾体を複数列に配列して相互に連結する連結手段と、両面にホットメルト接着剤よりなる接着層を有し、該連結手段の裏面に設けられる接着部材と、該接着部材が捲回される補強芯材と、からなる装飾帯状体で構成される装飾用棒状体であって、
前記装飾帯状体が、外周側に粒状装飾体を露呈するように前記接着部材を介して前記補強芯材に捲回された状態で前記接着層によって前記補強芯材に接着、固定されていることを特徴とする。【００１２】
また、本発明の請求項３に記載の発明は、請求項１または２において、前記連結手段が、前記粒状装飾体の取付個所に適合する内面形状をなす取付部の一側に平面略十字状または平面Ｙ字状にループ腕部を設けた取付金具と、前記ループ腕部内に挿通されることにより前記取付金具に取付けられた粒状装飾体を平面的に１まとめに束ねる連結環とにより前記粒状装飾体を平面所望複数列に連結することを特徴とする。【００１３】
また、本発明の請求項４に記載の発明は、請求項１または３において、前記装飾帯状体が、線状の接着部材を中心に前記接着層を介して１まとめに捻回されて接着、固定されることを特徴とする。【００１４】
また、本発明の請求項５に記載の発明は、請求項２または３において、前記装飾帯状体が、前記補強芯材を中心に螺旋状に捲回された前記接着部材を介するか、又は該接着部材の外周にさらにホットメルト接着テープを螺旋状に捲回することにより１まとめに捻回されて接着、固定されることを特徴とする。【００１５】
また、本発明の請求項６に記載の発明は、
宝石、人造宝石、ビーズ、貴金属ボール、及び金属ボールから選ばれる粒状装飾体を連結手段により複数列に配列して相互に連結した装飾帯状体を形成する工程と、
前記粒状装飾体が外周側に露呈するようにホットメルト接着剤の接着層を有する線状の接着部材に螺旋状に捲回される工程と、
前記装飾帯状体、および前記接着部材と、加熱手段との何れか一方を他方に対して長さ方向に相対移動させてホットメルト接着剤を加熱、融解した後、これを冷却して前記装飾帯状体を棒状に保形する工程と、
を順次有することを特徴とする。【００１６】
また、本発明の請求項７に記載の発明は、
宝石、人造宝石、ビーズ、貴金属ボール、及び金属ボールから選ばれる粒状装飾体を連結手段により複数列に配列して相互に連結した装飾帯状体を形成する工程と、
紐状の補強芯材の外周にホットメルト接着剤よりなる接着層を両面に有する接着部材を螺旋状に捲回するか、または、前記接着部材の外周にさらにホットメルト接着テープを螺旋状に捲回される工程と、
前記粒状装飾体が外周側に露呈されるように前記接着部材の外周、または、前記ホットメルト接着テープの外周に装飾帯状体を螺旋状に捲回する工程と、
そして、前記装飾帯状体、および前記接着部材、或いは、前記装飾帯状体、および前記接着部材、前記ホットメルト接着テープと、加熱手段との何れか一方を他方に対して長さ方向に相対移動させてホットメルト接着剤を加熱、融解した後、これを冷却して前記装飾帯状体を棒状に保形する工程と、
を順次有することを特徴とする。【００１７】
また、本発明の請求項８に記載の発明は、
宝石、人造宝石、ビーズ、貴金属ボール、及び金属ボールから選ばれる粒状装飾体を連結手段により複数列に配列して相互に連結した装飾帯状体を形成する工程と、
紐状の補強芯材の外周にホットメルト接着剤よりなる接着層を両面に有する接着部材を螺旋状に捲回するか、または、前記接着部材の外周にさらにホットメルト接着テープを螺旋状に捲回される工程と、
前記粒状装飾体が外周側に露呈されるように前記接着部材の外周、または、前記ホットメルト接着テープの外周に装飾帯状体を螺旋状に捲回する工程と、
そして、前記装飾帯状体、および前記接着部材、或いは、前記装飾帯状体、および前記接着部材、前記ホットメルト接着テープと、加熱手段との何れか一方を他方に対して長さ方向に相対移動させてホットメルト接着剤を加熱、融解する工程と、
プレス手段による押付けを前記装飾帯状体に加えることにより前記補強芯材に対する接着部材の接着位置および接着圧力と、接着部材に対する前記装飾帯状体の接着位置および接着圧力とを調整し、加熱、融解された前記ホットメルト接着剤を冷却して前記装飾帯状体を棒状に保形するする工程と、
を順次有することを特徴とする。【００１８】
さらに、請求項９に記載の発明は、請求項６−８の何れかにおいて、前記加熱手段が、ドライヤー、またはヒーターであることを特徴とする。
【発明の効果】
【００１９】
本発明の請求項１に記載の発明によれば、宝石、人造宝石、ビーズ、貴金属ボール、及び金属ボールから選ばれる多数の粒状装飾体と、該粒状装飾体を複数列に配列して相互に連結する連結手段と、該連結手段の裏面に接着されるホットメルト接着剤よりなる接着層を有する接着部材と、からなる装飾帯状体で構成される装飾用棒状体であって、前記装飾帯状体が、外周側に粒状装飾体を露呈するように捲回された状態で前記接着部材によって接着、固定されていることを特徴とするので、捲回して１まとめにされる装飾体よりなる複数列の装飾帯状体に何らの強い外力が働いた場合に、装飾帯状体が分離することなく、捲回状態を維持して構造堅牢に保形性を発揮し、装着時の柔軟性に冨み、以て粒状装飾体が統一性のある多重連構造の豪華な装飾性を確実に発揮し、また、短時間に手間がかからずに製作および組付が容易であり、生産効率が高い。しかも、粒状装飾体が貴金属や金属以外の宝石、人造宝石、ビーズ等の非金属材料により形成する場合にも製作および組付が行え、適用範囲が広く、また、製品の出来上がり太さは、比較的細いものから太いものまで製作が可能であり、重量は軽量になり、さらには製作コストが安価になる。【００２０】
また、本発明の請求項２に記載の発明によれば、宝石、人造宝石、ビーズ、貴金属ボール、及び金属ボールから選ばれる多数の粒状装飾体と、該粒状装飾体を複数列に配列して相互に連結する連結手段と、両面にホットメルト接着剤よりなる接着層を有し、該連結手段の裏面に設けられる接着部材と、該接着部材が捲回される補強芯材と、からなる装飾帯状体で構成される装飾用棒状体であって、前記装飾帯状体が、外周側に粒状装飾体を露呈するように前記接着部材を介して前記補強芯材に捲回された状態で前記接着層によって前記補強芯材に接着、固定されていることを特徴とするので、捲回して１まとめにされる装飾体よりなる複数列の装飾帯状体に何らの強い外力が働いた場合に、装飾帯状体が分離することなく、捲回状態を維持して構造堅牢に保形性を発揮し、装着時の柔軟性に冨み、以て粒状装飾体が統一性のある多重連構造の豪華な装飾性を確実に発揮し、また、短時間に手間がかからずに製作および組付が容易であり、生産効率が高い。しかも、粒状装飾体が貴金属や金属以外の宝石、人造宝石、ビーズ等の非金属材料により形成する場合にも製作および組付が行え、適用範囲が広く、また、製品の出来上がり太さは、比較的細いものから太いものまで製作が可能であり、重量は軽量になり、さらには製作コストが安価になる。【００２１】
また、本発明の請求項３に記載の発明によれば、前記連結手段が、前記粒状装飾体の取付個所に適合する内面形状をなす取付部の一側に平面略十字状または平面Ｙ字状にループ腕部を設けた取付金具と、前記ループ腕部内に挿通されることにより前記取付金具に取付けられた粒状装飾体を平面的に１まとめに束ねる連結環とにより前記粒状装飾体を平面所望複数列に連結することを特徴とするので、所望複数列の装飾帯状体を長さ方向に捲回した場合に、連結環を中心に簡便な取扱操作により周囲への取付方向、取付角度につき数個の取付金具を取付けることができる。従って、装飾帯状体を長さ方向に捲回することにより接着部材のホットメルト接着剤が冷却、固化する間は捲回される各列の粒状装飾体は取付方向、取付角度につき微調整されて軸回りに放射方向へ同一向きに配列され、不揃いは生じない。このため、粒状装飾体は高輝度を発揮し、装飾性に優れる。【００２２】
また、本発明の請求項４に記載の発明によれば、前記装飾帯状体が、線状の接着部材を中心に前記接着層を介して１まとめに捲回されて接着、固定されることを特徴とするので、線状の接着部材を中心に装飾帯状体が捲回されるため、引っ張り、捲回等の外力に対して切断されるのを防止して構造堅牢にできる。【００２３】
また、本発明の請求項５に記載の発明によれば、前記装飾帯状体が、前記補強芯材を中心に螺旋状に捲回された前記接着部材を介するか、又は該接着部材の外周にさらにホットメルト接着テープを螺旋状に捲回することにより１まとめに捻回されて接着、固定されることを特徴とするので、補強芯材を中心に装飾帯状体が接着部材の外周に捲回されるため、装飾帯状体が引っ張り、捲回等の外力に対して切断されるのを防止して構造堅牢にできる。【００２４】
また、本発明の請求項６に記載の発明によれば、宝石、人造宝石、ビーズ、貴金属ボール、及び金属ボールから選ばれる粒状装飾体を連結手段により複数列に配列して相互に連結した装飾帯状体を形成する工程と、前記粒状装飾体が外周側に露呈するようにホットメルト接着剤の接着層を有する線状の接着部材に螺旋状に捲回される工程と、前記装飾帯状体、および前記接着部材と、加熱手段との何れか一方を他方に対して長さ方向に相対移動させてホットメルト接着剤を加熱、融解した後、これを冷却して前記装飾帯状体を棒状に保形する工程と、を順次有することを特徴とするので、捲回して１まとめにされる装飾体よりなる複数列の装飾帯状体に何らの強い外力が働いた場合に、装飾帯状体が分離することなく、捲回状態を維持して構造堅牢に保形性を発揮し、装着時の柔軟性に冨み、以て粒状装飾体が統一性のある多重連構造の豪華な装飾性を確実に発揮し、また、短時間に手間がかからずに製作および組付が容易であり、生産効率が高い。しかも、粒状装飾体が貴金属や金属以外の宝石、人造宝石、ビーズ等の非金属材料により形成する場合にも製作および組付が行え、適用範囲が広く、また、製品の出来上がり太さは、比較的細いものから太いものまで製作が可能であり、重量は軽量になり、さらには製作コストが安価になる。【００２５】
また、本発明の請求項７に記載の発明によれば、宝石、人造宝石、ビーズ、貴金属ボール、及び金属ボールから選ばれる粒状装飾体を連結手段により複数列に配列して相互に連結した装飾帯状体を形成する工程と、紐状の補強芯材の外周にホットメルト接着剤よりなる接着層を両面に有する接着部材を螺旋状に捲回するか、または、前記接着部材の外周にさらにホットメルト接着テープを螺旋状に捲回される工程と、前記粒状装飾体が外周側に露呈されるように前記接着部材の外周、または、前記ホットメルト接着テープの外周に装飾帯状体を螺旋状に捲回する工程と、そして、前記装飾帯状体、および前記接着部材、或いは、前記装飾帯状体、および前記接着部材、前記ホットメルト接着テープと、加熱手段との何れか一方を他方に対して長さ方向に相対移動させてホットメルト接着剤を加熱、融解した後、これを冷却して前記装飾帯状体を棒状に保形する工程と、を順次有することを特徴とするので、捲回して１まとめにされる装飾体よりなる複数列の装飾帯状体に何らの強い外力が働いた場合に、装飾帯状体が分離することなく、捲回状態を維持して構造堅牢に保形性を発揮し、装着時の柔軟性に冨み、以て粒状装飾体が統一性のある多重連構造の豪華な装飾性を確実に発揮し、また、短時間に手間がかからずに製作および組付が容易であり、生産効率が高い。しかも、粒状装飾体が貴金属や金属以外の宝石、人造宝石、ビーズ等の非金属材料により形成する場合にも製作および組付が行え、適用範囲が広く、また、製品の出来上がり太さは、比較的細いものから太いものまで製作が可能であり、重量は軽量になり、さらには製作コストが安価になる。【００２６】
また、本発明の請求項８に記載の発明によれば、宝石、人造宝石、ビーズ、貴金属ボール、及び金属ボールから選ばれる粒状装飾体を連結手段により複数列に配列して相互に連結した装飾帯状体を形成する工程と、紐状の補強芯材の外周にホットメルト接着剤よりなる接着層を両面に有する接着部材を螺旋状に捲回するか、または、前記接着部材の外周にさらにホットメルト接着テープを螺旋状に捲回される工程と、前記粒状装飾体が外周側に露呈されるように前記接着部材の外周、または、前記ホットメルト接着テープの外周に装飾帯状体を螺旋状に捲回する工程と、そして、前記装飾帯状体、および前記接着部材、或いは、前記装飾帯状体、および前記接着部材、そして、前記ホットメルト接着テープと、加熱手段との何れか一方を他方に対して長さ方向に相対移動させてホットメルト接着剤を加熱、融解する工程と、プレス手段による押付けを前記装飾帯状体に加えることにより前記補強芯材に対する接着部材の接着位置および接着圧力と、接着部材に対する前記装飾帯状体の接着位置および接着圧力とを調整し、加熱、融解された前記ホットメルト接着剤を冷却して前記装飾帯条体を棒状に保形する工程と、を順次有することを特徴とするので、捲回して１まとめにされる装飾体よりなる複数列の装飾帯状体に何らの強い外力が働いた場合に、装飾帯状体が分離することなく、捲回状態を維持して構造堅牢に保形性を発揮し、装着時の柔軟性に冨み、以て粒状装飾体が統一性のある多重連構造の豪華な装飾性を確実に発揮し、また、短時間に手間がかからずに製作および組付が容易であり、生産効率が高い。しかも、粒状装飾体が貴金属や金属以外の宝石、人造宝石、ビーズ等の非金属材料により形成する場合にも製作および組付が行え、適用範囲が広く、また、製品の出来上がり太さは、比較的細いものから太いものまで製作が可能であり、重量は軽量になり、さらには製作コストが安価になる。【００２７】
さらに、請求項９に記載の発明によれば、請求項６−８の何れかにおいて、前記加熱手段が、ドライヤー、またはヒーターであることを特徴とするので、加熱手段から発生される熱により、装飾帯状体、および接着部材と、加熱手段との何れか一方を他方に対して軸長方向に相対移動されることにより接着部材のホットメルト接着剤が加熱、融解され、装飾帯状体の粒状装飾体が、外周側に露呈するように接着部材を介して１まとめに補強芯材に捲回した状態に接着、固定され、棒状に保形される。
【図面の簡単な説明】
【００２８】
【図１】図１は本発明の装飾用棒状体の実施形態１を示す拡大斜視図である。
【図２】図２は同じく装飾用棒状体の拡大正面図である。
【図３】図３は同じく粒状装飾体を連結手段により連結した本実施形態１を構成する装飾帯状体の拡大平面図である。
【図４】図４は同じく本実施形態１を構成する装飾帯状体を示す拡大裏面図である。
【図５】図５は同じく装飾帯状体を捻回する状態を示す平面図である。
【図６】図６は同じく本実施形態１の装飾帯状体を形成する連結手段を示す拡大斜視図である。
【図７】図７は同じく本実施形態１の装飾帯状体を捻回してホットメルト接着剤よりなる接着層にて接着した状態の拡大断面図である。
【図８】図８は本発明の装飾用棒状体の実施形態１の製造方法を工程的に示す斜視図である。
【図９】図９は本発明の装飾用棒状体の実施形態２を説明的に示す拡大斜視図である。
【図１０】図１０は本発明の装飾用棒状体の実施形態２の製造方法を工程的に示す斜視図である。
【図１１】図１１は同じく実施形態２の製造方法を実施するのに使用するプレス手段を示す斜視図である。
【図１２】図１２は本発明の装飾用棒状体の変形例を示す斜視図である。
【符号の説明】
【００２９】
１      装飾帯状体
２      粒状装飾体
２Ａ    人造宝石
３      連結手段
４      接着層
５      接着部材
６      取付金具  
６Ａ    取付部  
６Ｂ    ループ腕部
６Ｃ    ループ腕部
６Ｄ    ループ腕部
６Ｅ    ループ腕部
７      連結環
Ｎ      長さ方向
【発明を実施するための最良の形態】
【００３０】
本発明の最良の実施形態を図面を参照して使用する装置とともに説明する。【００３１】
[実施形態１]
図１は本発明の装飾用棒状体の実施形態１を示す拡大斜視図、図２は同じく装飾用棒状体の拡大正面図、図３は同じく粒状装飾体を連結手段により連結した本実施形態１を構成する装飾帯状体の拡大平面図、図４は同じく本実施形態１を構成する装飾帯状体を示す拡大裏面図、図５は同じく装飾帯状体を捻回する状態を示す平面図、図６は同じく本実施形態１の装飾帯状体を形成する連結手段を示す拡大斜視図、図７は同じく本実施形態１の装飾帯状体を捻回してホットメルト接着剤よりなる接着層にて接着した状態の拡大断面図、図８は本発明の装飾用棒状体の実施形態１の製造方法を工程的に示す斜視図である。【００３２】
本実施形態１の装飾用棒状体は、宝石、人造宝石２Ａ、ビーズ、貴金属ボール、及び金属ボールから選ばれる多数の粒状装飾体２と、該粒状装飾体２を複数列に配列して相互に連結する連結手段３と、該連結手段３の裏面に接着されるホットメルト接着剤よりなる接着層４を有する接着部材５と、からなる装飾帯状体１で構成される装飾用棒状体であって、前記装飾帯状体１が、外周側に粒状装飾体２を露呈するように捲回された状態で前記接着部材５によって接着、固定されていることを特徴とする。【００３３】
図示する実施形態１では連結手段３により連結される装飾帯状体１の各列の前記粒状装飾体２は、全てが略同径の大きさであり、そして白、乳白色、赤、緑、青、黄色、橙等の単一色により形成されたものを用いているが、例えば各列毎に大きさを異にするものを使用したり、各列毎、さらには同列において配列順に異なる色のものを使用ことによりデザイン的に変化させてもよい。【００３４】
また、前記宝石としては、例えばダイアモンド、エメラルド、サファイア、ルビー、オパール、翡翠、アメジィスト、水晶、トルマリン、オニキス、サンゴ、真珠等が挙げられる。また前記貴金属ボールとしては、例えば金、金合金、白金、白金合金、銀等により形成されるものがある。また、金属ボールとしては、例えば鉄、ステンレス、銅、アルミニウム、亜鉛等により形成されるものがある。【００３５】
前記接着部材５は、本実施形態１では幅が例えば約９ｍｍで数十ｍの長さの天然繊維、または合成繊維を編製したり、圧縮したり、さらには、合成樹脂フィルムにより製作されたリボン状の基布材の片面、例えば上面に前述のように、ホットメルト接着剤の接着層４を有したものを捻回して線状にしたものが使用される。そして、図示する本実施形態１では、所望複数列、例えば２列の粒状装飾体２にて形成される前記装飾帯状体１の前記粒状装飾体２が、外周側に露呈されるように線状の接着部材５を中心に前記接着層４を介して１まとめに捲回されて接着、固定される。【００３６】
図８において、１０は上記のように、接着部材５をリボン状から捻って線状にするために使用される第１支持台であり、この第１支持台１０は、接着部材５を固定するために、例えばモータＭにより回動可能な回転軸１２の先端にチャク機構１１を設けることにより接着部材５の一端５ａをクランプするとか、図には示さないが回転軸１２の先端部に接着部材５の一端５ａを結着する等して前記接着部材５の一端５ａを固定してから右回りまたは左回りに捻ることにより、リボン状の接着部材５を直線状にするとともに、外周面側にホットメルト接着剤の接着層４を露呈させるように捲回するのに使用される。このほか、第１支持台１０は、該第１支持台１０に対向して設けられた第１支持台１０と同様構造の第２支持台１０′のモータＭ′により回転可能な回転軸１２′の先端に設けたチャック機構１１′により接着部材５の他端５ｂをクランプすることにより線状に形成された接着部材５を中心にして外周側に粒状装飾体２が露呈するように装飾帯状体１を螺旋状に捲回する捲回操作や接着部材５の接着層４におけるホットメルト接着剤を加熱手段１３により加熱、融解し、前記装飾帯状体１の粒状装飾体２が、外周側に露呈するように前記接着部材５を介して１まとめに接着、固定操作を行うのに使用される。【００３７】
また、前記連結手段３が、本実施形態１では図４,図６、図７に示すように前記粒状装飾体２としての人造宝石２Ａを表面側に取付ける断面略半球状の取付部６Ａの上側に平面略十字状に４個のループ腕部６Ｂ,６Ｃ,６Ｄ,６Ｅを設けた取付金具６と、前記ループ腕部６Ｂ,６Ｃ,６Ｄ,６Ｅ内に挿通されることにより前記取付金具６に取付けた粒状装飾体２を裏面側において平面的に１まとめに束ねる有端の連結環７とにより形成される。そして、本実施形態１では、この連結手段３により前記粒状装飾体２を平面所望複数列、前述のように実施形態１では幅方向Ｗに２列、また長さ方向Ｎには所望長さの装飾帯状体１に連結する。そして、人造宝石２Ａを、取付金具６の表面側に取付けるのには、例えば接着剤Ｓにより接着される（図７参照）。【００３８】
また、前記連結環７は、図示では円環に形成されるが、その外形状は図示するものに限らず、図には示さないが、例えば三角形、四角形、五角形、六角形等、自由に設定され、有端環状であればよい。【００３９】
前記接着層４のホットメルト接着剤は、例えば、ポリスチレン樹脂、ポリアミド樹脂系接着剤があるが、このほか、例えばＡＢＳ樹脂やＳＡＮ樹脂の如き共重合体、ポリアセタール類、ポリカーボネート類、ポリエステル類等、熱の供給により可逆的に軟化する何れの合成樹脂接着材料でもよい。また、ホットメルト接着剤の塗布量は、粒状装飾体２が取付けられる取付金具６の大きさ、装飾帯状体１が撚り合わされる粒状装飾体２の設置個数、ホットメルト接着剤自体の溶融温度、装飾帯状体１の加熱手段１３に対する相対移動速度等を考慮して決定され、最適量が選択される。【００４０】
前記加熱手段１３は、例えばドライヤー、ヒーター等が使用され、図８において所望複数列の粒状装飾体２を有する装飾帯状体１に対して長さ方向Ｎに相対移動されることにより、捻回されて線状の接着部材５の外周側に露呈している接着層４のホットメルト接着剤を加熱、溶解させて捲回されている装飾帯状体１を装飾用棒状体に接着、固定するためのものである。【００４１】
また、取付金具６の取付部６Ａに粒状装飾体２としての人造宝石２Ａを接着するための前記接着剤Ｓは、例えばフェノプラスト、アミノプラスト、エポキシ樹脂、アクリル樹脂、アルキド樹脂、不飽和ポリエステル樹脂等の熱安定性に優れたものが好適にあげられる。【００４２】
本発明の装飾用棒状体の実施形態１は以上の構成からなり、例えば人造宝石２Ａよりなる粒状装飾体２を連結手段３により連結している所望複数列、本実施形態１では、例えば図４、図５に示すような２列の粒状装飾体２,２・・・２; ２,２・・・２よりなる装飾帯状体１をホットメルト接着剤よりなる接着層４を介して装飾帯状体１の粒状装飾体２,２・・・２; ２,２・・・２が外周側に露呈するように１まとめに接着、固定して捲回状態に棒状に保形する操作を以下工程順に説明する。【００４３】
先ず、第１工程として、宝石、人造宝石２Ａ、ビーズ、貴金属ボール、及び金属ボールから選ばれる粒状装飾体２を連結手段３により複数列、本実施形態１では２列の粒状装飾体２,２・・・２; ２,２・・・２に配列して相互に連結した装飾帯状体１を形成する。【００４４】
装飾帯状体１を形成するには、前記連結手段３が、本実施形態１では図４,図６、図７に示すように前記粒状装飾体２としての人造宝石２Ａを断面略半球状の取付金具６の取付部６Ａの表面側に接着剤Ｓにより粒状装飾体２Ａを接着させる（図７参照）。それから、取付金具６の上側に平面略十字状に設けた４個のループ腕部６Ｂ,６Ｃ,６Ｄ,６Ｅ内に有端の連結環７を挿通させて粒状装飾体２を裏面側において平面的に１まとめに束ねることにより前記粒状装飾体２を平面所望複数列、前述のように本実施形態１では幅方向Ｗに２列、また長さ方向Ｎには所望長さの装飾帯状体１に連結する。【００４５】
次いで、第２工程として、ホットメルト接着剤よりなる接着層４を片面に有するリボン状の接着部材５を捻って線状にする準備操作を行う。【００４６】
これには、先ず、例えば第１支持台１０に接着部材５の一端５ａを固定する。この時、第１支持台１０に接着部材５を固定するのには、例えばモータＭにより回動可能な回転軸１２の先端に設けられるチャク機構１１により接着部材５の一端５ａをクランプするとか、他の固定手段として図には示さないが回転軸１２の先端部に接着部材５の一端５ａを結着する等して行う。その後、前記モータＭを駆動させて回転軸１２を回転させることにより接着部材５を、その直径が０．５ｍｍ程度になるまで捩り、接着部材５を線状にするとともに、その接着部材５の外周面側にホットメルト接着剤よりなる接着層４を露呈させる。このように、接着部材５を捩って線状にしたら、切断し、所望長さを得る。この切断は、例えば鋏やカッタを用いて容易に行える。【００４７】
その後、第３工程として、前記粒状装飾体２が外周側に露呈するようにホットメルト接着剤よりなる接着層４を有する線状の接着部材５に螺旋状に装飾帯状体１を捲回させる。【００４８】
このように装飾帯状体１を捲回するには、接着部材５の一端５ａを第１支持台１０のチャック機構１１にてクランプする等するとともに、接着部材５の他端５ｂを第１支持台１０に対向して設けた第２支持台１０′のチャック機構１１′にてクランプする。この際、  第１支持台１０のチャック機構１１に接着部材５の一端５ａと装飾帯状体１の一端１ａとを固定することにより始点Ａとし、所望の長さの装飾帯状体１を終点Ｂとし、この終点Ｂを第２支持台１０′のチャック機構１１′にクランプし、固定する。【００４９】
そして、モータＭ,Ｍ′を駆動させて回転軸１２,１２′を同方向に同速度にて回動させることにより線状の接着部材５を中心に、外周側に粒状装飾体２が露呈するように装飾帯状体１を螺旋状に捲回する。【００５０】
それから、第４工程として、前記装飾帯状体１、および前記接着部材５と、加熱手段１３との何れか一方を他方に対して長さ方向Ｎに相対移動させて線状の接着部材５の外周に露呈しているホットメルト接着剤を加熱、融解する。本実施形態１では加熱手段１３が装飾帯状体１、および接着部材５に対して粒状装飾体２から数十ｍｍの距離を隔てて長さ方向Ｎに移動されることにより接着材５のホットメルト接着剤を加熱、融解し、前記装飾帯状体１の粒状装飾体２,２・・・２; ２,２・・・２が、外周側に露呈するように前記接着部材５を介して装飾帯状体１を１まとめに捲回し、その後、冷却して接着、固定することにより棒状に保形する。【００５１】
この際、加熱手段１３による加熱温度は、例えば常温の室内において４００℃以上である。この加熱温度は、接着に用いるホットメルト接着剤の種類、装飾帯状体１の粒状装飾体２の材質、硬度、大きさ等に応じて加減して接着状態の調整を容易に行うことができる。【００５２】
こうして得られた装飾体としての装飾用棒状体は、人造宝石２Ａにより多重連構造の統一性のある豪華な装飾性が確実に発揮される。【００５３】
この際、本実施形態１では、連結手段３としての取付金具６は断面略半球状の取付部６Ａに形成されているので、この取付部６Ａの内形状に粒状装飾体２の取付個所の外形状が適合し、例えばフェノプラスト、アミノプラスト、エポキシ樹脂、アクリル樹脂、アルキド樹脂、不飽和ポリエステル樹脂等のホットメルト時の加熱に影響されない熱安定性に優れた接着剤Ｓにより粒状装飾体２を取付部６Ａに容易かつ確実に、しかも、高取付精度に取付けることができる。また、取付金具６の取付部６Ａには、本実施形態１では、粒状装飾体２として人造宝石２Ａを用いた場合につき説明しているが、これは代表的な例示であり、粒状装飾体２が例えば貴金属や金属で形成される場合であろうと、または宝石、ビーズ等の非金属材料により形成される場合でもよく、これらの粒状装飾体２を接着剤Ｓにより容易かつ確実に取付けを行うことができる。【００５４】
そして、粒状装飾体２が宝石である場合には、例えば、ダイアモンド、エメラルド、サファイア、ルビー、オパール、翡翠、アメジィスト、水晶、トルマリン、オニキス、サンゴ、真珠等の宝石が挙げられる。また、貴金属ボールとしては、例えば金、金合金、白金、白金合金、銀等により形成されるものがある。さらには金属ボールとしては、例えば鉄、ステンレス、銅、アルミニウム、亜鉛等により形成されたものがあげられ、粒状装飾体２の適用範囲は広範囲になる。そして、粒状装飾体２に何を使用するかは、使用者の好みと、予算に応じたものを製作し、使用者は容易に購入することができる。【００５５】
そして、本実施形態１では、連結手段３が、図４、図６、図７に示すように、取付金具６の前記取付部６Ａの上側に平面略十字状に４個のループ腕部６Ｂ,６Ｃ,６Ｄ,６Ｅを設けているので、このループ腕部６Ｂ,６Ｃ,６Ｄ,６Ｅ内に有端の連結環７を挿通することにより、前述のように取付金具６に取付けられた粒状装飾体２の複数個、本実施形態１では図示するように取付金具６に取付けられた４個の粒状装飾体２を１つの連結環７にて平面的に１まとめに束ねることができる（図４参照）。従って、粒状装飾体２を取付部６Ａに取付けた取付金具６の前記取付部６Ａの上側に設けた平面略十字状のループ腕部６Ｂ,６Ｃ,６Ｄ,６Ｅの何れかに連結環７を挿通し、隣接する取付金具６相互を連結環７を介して表面側に縦横に粒状装飾体２を連結して行けば粒状装飾体２を平面所望複数列、本実施形態１では図３、図４、図５に示すように２列の装飾帯状体１を所望長さに容易かつ確実に連結することができる。【００５６】
この時、本実施形態１の連結手段３は、前述のように粒状装飾体２を取付部６Ａに取付けた取付金具６は、取付部６Ａの上面に平面略十字状に４個のループ腕部６Ｂ,６Ｃ,６Ｄ,６Ｅを設け、しかもこのループ腕部６Ｂ,６Ｃ,６Ｄ,６Ｅ内に挿通される連結環７は有端の環状であるので、所望複数列の装飾帯状体１を線状の接着部材５の外周に、長さ方向Ｎに捲回した場合に、連結環７を中心として簡便な取扱操作により周囲への取付方向、取付角度につき自由度をもって数個の取付金具６,６・・・を取付けることができる。従って、装飾帯状体１を長さ方向Ｎに捲回することにより線状の接着部材５の外周面に露呈されたホットメルト接着剤よりなる接着層４により裏面側を接着、固定した場合に、捻回された各列の粒状装飾体２,２・・・２;２,２・・・２は軸周りに放射方向へ同一向きに配列され、不揃いは生じない。このため、粒状装飾体２,２・・・２;２,２・・・２は高輝度を発揮し、装飾性は優れたものになる。【００５７】
また、粒状装飾体２を取付部６Ａに取付けた複数個の取付金具６を連結環７にて連結することにより形成される状態で所望複数列の前記装飾帯状体１を、例えば図には示さない供給ドラムから連続して供給し、また、この装飾帯状体１の移動方向Ｘの終段では捲取ドラムにより捲取り可能に捲回されるようにして装飾帯状体１を長さ方向Ｎにテンションをかけながら移動するようにして装飾帯状体１の裏面にホットメルト接着剤よりなる接着層４が外周に露呈した線状の接着部材５に所望複数列の装飾帯状体１を長さ方向Ｎに捲回し、さらに、前記接着層４を加熱、溶融することにより該接着層４を介して装飾帯状体１を１まとめに接着、固定するという工程を一貫して自動的に行えば、製造ラインにおいて本実施形態１の装飾用棒状体を自動生産することができる。【００５８】
こうして形成される本実施形態１の装飾用棒状体は、例えばネックレス、ブレスレッド、髪飾り等の装身具、また、ハンドバッグの把手、ベルト等の身回品、さらにはキャミソールや女性用下着のストラップとして最適に使用されて適用範囲は広範になる。【００５９】
そして、本実施形態１の装飾用棒状体は、２列の装飾帯状体１をホットメルト接着剤よりなる接着層４を介して装飾帯状体１を１まとめに接着、固定して捻回状態に保形されるので、複数列の装飾帯状体１に何らの強い外力が働いた場合に、粒状装飾体２に、ビニールを通し糸に浸透させた被覆糸を装飾体に挿通して数本の連珠を撚合わすことにより被覆糸を強撚させてビニールの復元性による引締力により連珠を撚縄状の形態に保持させようとする特許文献１に記載の装飾用数珠飾りとは異なり、１まとめにした装飾帯状体１がばらばらに分離することなく、捲回状態を維持して構造堅牢に保形性が発揮されるため、優れた装飾性が発揮される。【００６０】
しかも、本実施形態１の装飾帯状体は、２列の粒状装飾体２,２・・・２;２,２・・・２をホットメルト接着剤よりなる接着層４を介して装飾帯状体１として１まとめに接着、固定して捲回状態に保形されるので、例えばアメジスト、水晶、トルマリン、オニキス等の宝石の原石を糸で数珠繋ぎをしたり、金合金、プラチナ合金、白金、銀等の貴金属の塊を数珠繋ぎにしたり、紐状に形成される内容物の外周に貴金属製ボールチェーンよりなる貴金属製ネットのネット状の帯体を外周長さ方向に捲回するという特許文献２に記載の装身具とは異なり、ネックレスやブレスレッドの装身具の出来上がりの太さを細くでき、重量は軽量化される。そのうえ、作業工程が簡略化されるため、製作が容易になり、生産効率が低く、製作コストは安価になる。【００６１】
そして、本実施形態１では、前述のように平面所望複数列の装飾帯状体１を用いて接着剤の塗布作業を必要としない当初はリボン状のホットメルト接着剤よりなる接着層４を介して装飾帯状体１を１まとめに接着、固定して捲回状態に保形された装飾用棒状体を形成するものなので、短時間に多くの手間がかからずに製作および組付が容易であり、生産効率が高く、製作コストが安価になる。【００６２】
[実施形態２]
図９乃至図１２は本発明の装飾用棒状体の実施形態２を示し、この実施形態２では宝石、人造宝石２Ａ、ビーズ、貴金属ボール、及び金属ボールから選ばれる多数の粒状装飾体２と、該粒状装飾体２を複数列に配列して相互に連結する連結手段３と、両面にホットメルト接着剤よりなる接着層４,４を有し、該連結手段３の裏面に設けられる接着部材５と、該接着部材５が捲回される紐状の補強芯材２０と、からなる装飾帯状体１で構成される装飾用棒状体であって、前記装飾帯状体１が、外周側に粒状装飾体２を露呈するように前記接着部材５を介して前記補強芯材２０に捲回された状態で前記接着層４によって前記補強芯材２０に接着、固定されていることを特徴とする。そして、本実施形態２では、装飾帯状体１の粒状装飾体２の列数が６列に増設されるのに対応して接着面積を増大させるために前記接着部材５は、幅１５ｍｍと幅広であり、長さが数十ｍのものが使用され、また、補強芯材２０としては天然繊維、または合成繊維から編製されたり、皮、合成樹脂よりなる紐が用いられる点が前記実施形態１とは異なる構成である。なお、補強芯材２０は、引っ張り、および圧縮の強度をさらに向上させるために、図には示さないが、内部にピアノ線のような金属細線やカーボン繊維等を配挿するようにしても良い。【００６３】
そして、装飾用棒状体を形成するには、先ず、前記実施形態１と同様に先ず、宝石、人造宝石２Ａ、ビーズ、貴金属ボール、及び金属ボールから選ばれる粒状装飾体２を連結手段３により複数列、本実施形態２では６列に配列して相互に連結した装飾帯状体１を形成する。【００６４】
また、本実施形態２において、粒状装飾体２を連結手段３を用いて複数列に列設した装飾帯状体１を形成するための連結方法、粒状装飾体２を取付金具６に取付けるための取付方法は前記実施形態１と同様である。【００６５】
次いで、紐状の補強芯材２０の外周に、ホットメルト接着剤よりなる接着層４,４を内周および外周の両面に有する接着部材５を螺旋状に捲回する。この補強芯材２０の太さは、製作すべき装飾棒状体に応じて適当に選択される。【００６６】
この際、本実施形態２においても前記実施形態１と同様に、例えば、第１支持体１０に、補強芯材２０の一端２０ａ、および接着部材５の一端５ａを固定し、また、第２支持体１０′に補強芯材２０の他端２０ｂを固定してから、モータＭ,Ｍ′を同方向に同速度にて回動することにより補強芯材２０の外周に接着部材５を螺旋状に捲回する。この時、後工程にて行われる補強芯材２０に対する接着部材５の内周側の接着層４の接着と、装飾帯状体１に対する外周側の接着層４の接着との接着面積に欠落部分を生ずることなく、接着を確実に行うために、接着部材５の幅方向の左右の端縁相互に数ｍｍの重なり合い部分を生ずるように接着部材５を螺旋状に補強芯材２０の外周に捲回する。【００６７】
その後、装飾帯状体１の前記粒状装飾体２が外周側に露呈されるように前記接着部材５の外周に帯状装飾体１を螺旋状に捲回する。これには、第１支持体１０に、補強芯材２０の一端２０ａ，および接着部材５の一端５ａ、装飾帯状体１の一端１ａを一緒に固定する。また、第２支持体１０′には補強芯材２０の他端２０ｂ，および接着部材５の他端５ｂを一緒に固定してから、モータＭ,Ｍ′を同方向に同速度にて回動することにより内周および外周に接着層４,４を有する両面の接着部材５の外周に帯状装飾体１を螺旋状に捲回し、所望長さを得る。【００６８】
その後、前記装飾帯状体１、および前記接着部材５と、加熱手段１３との何れか一方を他方に対して長さ方向Ｎに相対移動させて接着部材５の内周側の接着層４と外周側の接着層４のホットメルト接着剤を加熱、融解する。本実施形態２では加熱手段１３が装飾帯状体１、および接着部材５に対して長さ方向Ｎに移動することにより接着層４,４のホットメルト接着剤を加熱、融解し、前記装飾帯状体１の粒状装飾体２,２・・・２; ２,２・・・２が、外周側に露呈するように補強芯材２０の外周に接着部材５を接着するとともに、この接着部材５の外周に装飾帯状体１を螺旋状に隙間なく捲回して接着するようになる。また、図には示さないが、両面に接着層４,４を有する接着部材５の装飾帯状体１に対する接着効能を一層効果的になすために、接着部材５の外周に、該接着部材５の接着層４と同様素材の接着層を有する図には示さないホットメルト接着テープをさらに螺旋状に捲回するようにしてもよい。【００６９】
この際、加熱手段１３は、前記実施形態１と同様に、ドライヤー、またはヒータが用いられる。そして、この加熱手段１３は、粒状装飾体２から数十ｍｍの距離を隔てて長さ方向Ｎに移動されることにより加熱が行われる。この加熱手段１３による加熱温度は、常温の室内において例えば４００℃以上である。この加熱温度は、接着に用いるホットメルト接着剤の種類、装飾帯状体１の粒状装飾体２の材質、硬度、大きさ等に応じて加減して容易に選択を行うことができる。【００７０】
さらに、前述の接着部材５の内周側の接着層４と、外周側の接着層４とのホットメルト接着剤、また、接着部材５の外周に、さらに、接着部材５の接着層４と同様素材の接着層を有するホットメルト接着テープの接着層が加熱、溶解されて冷却、固化しない間に、図１１に示すプレス手段２１による押付けと加熱温度を１５０℃以上を前記装飾帯状体１に加えることにより前記補強芯材２０に対する接着部材５の接着位置および接着圧力と、接着部材５、また、接着部材５の外周に、さらに、螺旋状に図示しないホットメルト接着テープを捲回した場合には、接着部材５と、接着テープとに対する前記装飾帯状体１の接着位置および接着圧力とを調整し、外部からの引っ張り、または圧縮に対して接着層４,４による接着効能を強固にし、構造的に堅牢にする。【００７１】
この際、プレス手段２１による装飾帯状体１に対する押圧方向は、例えば補強芯材２０に接着部材５を介して捲回された装飾帯状体１を周回りに受台２２上で例えば９０°づつ転がすことにより装飾帯状体１の上下方向、並びに前後方向に自在に変更することができる。しかも、プレス手段２１によるプレス圧は、装飾帯状体１の粒状装飾体２の材質、硬度、大きさ等に応じて加減して容易に圧接力を調整することができる。【００７２】
その後、自然冷却することにより、前記装飾帯状体１の粒状装飾体２が、外周側に露呈するように前記接着部材５を介して、また、螺旋状に図示しないホットメルト接着テープを捲回した場合には、この接着部材５とホットメルト接着テープとを介して１まとめに前記補強芯材２０に捻回し、その後、冷却することにより装飾帯状体１を接着、固定して棒状に保形し、装飾用棒状体を得る。【００７３】
このようにして得られた本実施形態２の装飾用棒状体は、紐状の補強芯材２０に螺旋状に捲回されて加熱、融解されるホットメルト接着剤よりなる接着層４,４を両面に有する接着部材５を介して、また、螺旋状に図示しないホットメルト接着テープを前記接着部材５の外周にさらに捲回した場合には、この接着部材５とホットメルト接着テープとを介して１まとめに装飾帯状体１が捲回され、その後、冷却することにより、補強芯材２０を芯として装飾帯状体１が接着、固定されるので、接着部材５を捻回した直線状の補強芯に装飾帯状体１を捲回した前記実施形態１とは異なり、本実施形態２では装飾帯状体１が引っ張り、捻回等の外力に対して切断されるのを防止して一層構造堅牢になる。しかも、螺旋状に図示しないホットメルト接着テープを前記接着部材５の外周にさらに捲回した場合には、装飾帯状体１を接着部材５を介して補強芯材２０の外面に接着した場合よりも一層構造堅牢に取付けが行える点が前記実施形態１とは異なる構成、作用であるほかは前記実施形態１と同様の構成、作用である。【００７４】
また、上記実施形態１、および上記実施形態２では、何れかの連結手段３により幅方向Ｗに粒状装飾体２が連結された装飾帯状体１は、２列及び５列に粒状装飾体２を連結したものが代表的に説明されているが、これは代表的な例示であり、粒状装飾体２の設置個数は、２列〜８列が最適であるが、これに限定されるものではなく、その増減変更は自由に行える。【００７５】
また、図示する上記実施形態１、および上記実施形態２では、連結手段３により連結される装飾帯状体１の各列の粒状装飾体２は、全てが略同径の大きさのものを示し、単一色により形成されたものを用いているが、図には示さないが例えば各列毎に粒状装飾体２の大きさを異にするものを使用したり、各列毎に異なる色の粒状装飾体２を使用したり、さらには各列毎に、同列において配列順に異なる色のものを配列するほか、これらの組み合わせ使用をすることによりデザイン的に変化させることができる。【００７６】
また、上記実施形態１で示される連結金具３は、図示では取付金具６の取付部６Ａの上側に設けた４個のループ腕部６Ｂ,６Ｃ,６Ｄ,６Ｅは平面略十字状に形成されたものを使用するようにしているが、これに限ることなく例えば３個のループ腕部を平面Ｙ字状に交叉する等、ループ腕部の設置個数の増減変更は自由に行える。そして、連結環７に対する取付金具６の取付個数を加減して粒状装飾体２の設置個数を調整することは容易である。
【産業上の利用可能性】
【００７７】
本発明は、捲回して１まとめにされる装飾体よりなる複数列の装飾帯状体に何らの強い外力が働いた場合に、装飾帯状体が分離することなく、捲回状態を維持して構造堅牢に保形性を発揮し、装着時の柔軟性に冨み、以て粒状装飾体が統一性のある多重連構造の豪華な装飾性を確実に発揮し、また、短時間に手間がかからずに製作および組付が容易であり、生産効率が高く、しかも、粒状装飾体が貴金属や金属以外の宝石、人造宝石、ビーズ等の非金属材料により形成する場合にも製作および組付が行え、適用範囲が広く、また、製品の出来上がり太さは、比較的細いものから太いものまで製作が可能であり、重量は軽量になり、さらには製作コストが安価になるという用途・機能に適する。
【図１】
2009016751.tif 000003
【図２】
2009016751.tif 000004
【図３】
2009016751.tif 000005
【図４】
2009016751.tif 000006
【図５】
2009016751.tif 000007
【図６】
2009016751.tif 000008
【図７】
2009016751.tif 000009
【図８】
2009016751.tif 000010
【図９】
2009016751.tif 000011
【図１０】
2009016751.tif 000012
【図１１】
2009016751.tif 000013
【図１２】
2009016751.tif 000014
【国際調査報告】
2009016751.tif 000015
2009016751.tif 000016
2009016751.tif 000017